(57)【要約】【課題】動きが有る被写体で連続的な動作を行っている被写体による動画や、インターバル撮影機能の撮影間隔を短くすることにより極端にコマの粗い動画のような撮影を可能とする。【解決手段】任意の設定時間が経過し撮影時間になったどうか判断し、撮影時間が経過した場合は１枚分の画像を取り込み、前記画像の取り込みを設定枚数だけ繰り返し、設定枚数だけ画像取り込みを完了した場合１枚分の画像ＹＵＶ変換処理及び１枚分の画像リサイズ処理を設定枚数分繰り返し、設定枚数だけ画像処理を終了した場合設定枚数分の画像を１枚の画像に合成し、合成が完了した場合その画像を圧縮し記録処理を行い、前記一連の処理を設定回数もしくはキャンセル操作による処理終了まで繰り返す。【選択図】　　　図４
2004080212.tif 000002
【特許請求の範囲】
【請求項１】
レンズユニットにて被写体を撮影し、撮影した被写体の画像データをＲＡＭに格納し、このＲＡＭの画像データを処理し、記録し、再生する撮影装置において、
任意の設定時間が経過し撮影時間になったか否かを判断する撮影時間判断手段と、該撮影時間判断手段により判断された撮影時間が前記任意の設定時間を経過した場合に１枚分の画像を取り込む画像取り込み手段と、前記画像の取り込みを設定枚数だけ繰り返す繰り返し手段と、該繰り返し手段により設定枚数だけ画像取り込みを完了した場合、１枚分の画像ＹＵＶ変換処理及び１枚分の画像リサイズ処理を設定枚数分繰り返す設定枚数繰り返し手段と、設定枚数だけ画像処理を終了した場合、設定枚数分の画像を１枚の画像に合成する画像合成手段と、該画像合成手段により合成が完了した場合、その画像を圧縮し記録処理を行う圧縮記録手段と、前記一連の処理を設定回数もしくはキャンセル操作による処理終了まで繰り返す処理繰り返し手段と、を備えたことを特徴とする撮影装置。
【請求項２】
前記画像取り込み手段と、前記繰り返し手段との間に、時間設定だけ取り込みを待つ設定時間待ち処理手段を更に備えたことを特徴とする請求項１に記載の撮影装置。
【請求項３】
レンズユニットにて被写体を撮影し、撮影した被写体の画像データをＲＡＭに格納し、このＲＡＭの画像データを処理し、記録し、再生する撮影装置において、
任意の設定時間が経過し撮影時間になったか否かを判断する撮影時間判断手段と、撮影時間が経過した場合は１枚分の画像を取り込む画像取り込み手段と、設定枚数にならない場合は、再び設定時間が経過するまで待機状態になる待機手段と、前記画像の取り込みを設定枚数だけ繰り返す繰り返し手段と、該繰り返し手段により設定枚数だけ画像取り込みを完了した場合、１枚分の画像ＹＵＶ変換処理及び１枚分の画像リサイズ処理を設定枚数分繰り返す設定枚数繰り返し手段と、設定枚数だけ画像処理を終了した場合、設定枚数分の画像を１枚の画像に合成する画像合成手段と、該画像合成手段により合成が完了した場合、その画像を圧縮し記録処理を行う圧縮記録手段と、前記一連の処理を設定回数もしくはキャンセル操作による処理終了まで繰り返す処理繰り返し手段と、を備えたことを特徴とする撮影装置。
【請求項４】
設定枚数をユーザーが自由に設定可能とする枚数設定手段及び設定枚数に応じた画像サイズあるいは画像サイズに応じた設定枚数を決定するサイズ決定手段の少なくとも一方を更に備えたことを特徴とする請求項１乃至３のいずれか一項に記載の撮影装置。
【請求項５】
前記サイズ決定手段は、設定枚数として、１／ｎサイズの場合（ｎは整数）、ｎの２乗枚数で１画像としたことを特徴とする請求項４に記載の撮影装置。
【請求項６】
画像を合成する場合の処理のパターンは、ユーザーが自由に設定可能とするパターン設定手段を更に備えたことを特徴とする請求項１乃至３のいずれか一項に記載の撮影装置。
【請求項７】
レンズユニットにて被写体を撮影し、撮影した被写体の画像データをＲＡＭに格納し、このＲＡＭの画像データを処理し、記録し、再生する画像処理方法において、
任意の設定時間が経過し撮影時間になった化否かを判断し、撮影時間が経過した場合は１枚分の画像を取り込み、前記画像の取り込みを設定枚数だけ繰り返し、設定枚数だけ画像取り込みを完了した場合１枚分の画像ＹＵＶ変換処理及び１枚分の画像リサイズ処理を設定枚数分繰り返し、設定枚数だけ画像処理を終了した場合設定枚数分の画像を１枚の画像に合成し、合成が完了した場合その画像を圧縮し記録処理を行い、前記一連の処理を設定回数もしくはキャンセル操作による処理終了まで繰り返す、ことを特徴とする画像処理方法。
【請求項８】
１枚分の画像を取り込みと、前記画像の取り込みを設定枚数だけ繰り返しとの間に、時間設定だけ取り込みを待つ設定時間待ち処理を行うことを特徴とする請求項７に記載の画像処理方法。
【請求項９】
レンズユニットにて被写体を撮影し、撮影した被写体の画像データをＲＡＭに格納し、このＲＡＭの画像データを処理し、記録し、再生する画像処理方法において、
任意の設定時間が経過し撮影時間になったか否かを判断し、撮影時間が経過した場合は１枚分の画像を取り込み、設定枚数にならない場合は、再び設定時間が経過するまで待機状態とし、前記処理を設定枚数だけ画像の取り込みを繰り返し、設定枚数だけ画像取り込みを完了した場合１枚分の画像ＹＵＶ変換処理及び１枚分の画像リサイズ処理を設定枚数分繰り返し、設定枚数だけ画像処理を終了した場合設定枚数分の画像を１枚の画像に合成し、合成が完了した場合その画像を圧縮し記録処理を行い、前記一連の処理を設定回数もしくはキャンセル操作による処理終了まで繰り返すことを特徴とする画像処理方法。
【請求項１０】
設定枚数をユーザーが自由に設定可能とする工程及び設定枚数に応じた画像サイズあるいは画像サイズに応じた設定枚数を決定する工程の少なくとも一方を有することを特徴とする請求項７乃至９のいずれか一項に記載の画像処理方法。
【請求項１１】
設定枚数に応じた画像サイズあるいは画像サイズに応じた設定枚数を決定する場合、設定枚数として、１／ｎサイズの場合（ｎは整数）ｎの２乗枚数で１画像としたことを特徴とする請求項１０に記載の画像処理方法。
【請求項１２】
画像を合成する場合の処理のパターンは、ユーザーが自由に設定可能とすることを特徴とする請求項７乃至９のいずれか一項に記載の画像処理方法。
【発明の詳細な説明】
【０００１】
【発明の属する技術分野】
本発明は、デジタルカメラ、その他インターバル撮影機能或いは連続撮影機能を有する撮影装置及び画像処理方法に関する。
【０００２】
【従来の技術】
デジタルカメラ等の撮影装置としては、被写体に応じて種々の撮影モードが存在し、例えば任意の設定時間を設定して設定時間が経過する毎に自動的に撮影を行うインターバル撮影機能や、一度に複数コマを連続的に撮影（連写）する連続撮影機能などが存在する。
【０００３】
【発明が解決しようとする課題】
しかしながら、従来の撮影装置には、上述のインターバル撮影機能や連続撮影機能により撮影した各コマを個別にモニタする機能あるいは、特開２０００−２８７０１６公報に開示されるように撮影後に複数コマを確認する機能は存在するものの、複数コマを動画のように取り扱い処理する機能は存在しない。
本発明においては、動きが有る被写体で連続的な動作を行っている被写体による動画や、インターバル撮影機能の撮影間隔を短くすることにより極端にコマの粗い動画のような撮影を可能とする撮影装置及び画像処理方法の提供を目的とする。
【０００４】
【課題を解決するための手段】
上述の目的を達成するため、請求項１の撮影装置は、レンズユニットにて被写体を撮影し、撮影した被写体の画像データをＲＡＭに格納し、このＲＡＭの画像データを処理し、記録し、再生する撮影装置において、任意の設定時間が経過し撮影時間になったどうか判断する手段、撮影時間が経過した場合は１枚分の画像を取り込む手段と、前記画像の取り込みを設定枚数だけ繰り返す手段と、設定枚数だけ画像取り込みを完了した場合１枚分の画像ＹＵＶ変換処理及び１枚分の画像リサイズ処理を設定枚数分繰り返す手段と、設定枚数だけ画像処理を終了した場合設定枚数分の画像を１枚の画像に合成する手段と、合成が完了した場合その画像を圧縮し記録処理を行う手段と、前記一連の処理を設定回数もしくはキャンセル操作による処理終了まで繰り返す手段と、を有することを特徴とする。
この発明によれば、インターバル撮影機能の１回の撮影で連続撮影を行って複数枚の画像を１枚の画像に合成したり、インターバル撮影機能の複数回の撮影で撮影された複数枚の画像を１枚の画像に合成することにより、動きの有る被写体で連続的な動作を行っているものや、インターバル撮影機能の撮影間隔を短くすることにより極端にコマの粗い動画のような撮影も可能となる。
請求項２の撮影装置の発明は、上述の発明において、１枚分の画像を取り込む手段と、前記画像の取り込みを設定枚数だけ繰り返す手段との間に、時間設定だけ取り込みを待つ設定時間待ち処理手段を有することを特徴とする。
この発明によれば、時間設定されたインターバル撮影機能の複数回の撮影で撮影された複数枚の画像を１枚の画像に合成することにより、動きの有る被写体で連続的な動作を行っているものや、インターバル撮影機能の撮影間隔を短くすることにより極端にコマの粗い動画のような撮影も可能となる。
【０００５】
請求項３の撮影装置の発明は、レンズユニットにて被写体を撮影し、撮影した被写体の画像データをＲＡＭに格納し、このＲＡＭの画像データを処理し、記録し、再生する撮影装置において、任意の設定時間が経過し撮影時間になったどうか判断する手段と、撮影時間が経過した場合は１枚分の画像を取り込む手段と、設定枚数にならない場合は、再び設定時間が経過するまで待機状態になる手段と、前記処理を設定枚数だけ画像の取り込みを繰り返す手段と、設定枚数だけ画像取り込みを完了した場合１枚分の画像ＹＵＶ変換処理及び１枚分の画像リサイズ処理を設定枚数分繰り返す手段と、設定枚数だけ画像処理を終了した場合設定枚数分の画像を１枚の画像に合成する手段と、合成が完了した場合その画像を圧縮し記録処理を行う手段と、前記一連の処理を設定回数もしくはキャンセル操作による処理終了まで繰り返す手段と、を有することを特徴とする。
この発明によれば、設定枚数にならない場合は、再び設定時間が経過するまで待機状態として、インターバル撮影機能の複数回の撮影で撮影された複数枚の画像を１枚の画像に合成することにより、動きの有る被写体で連続的な動作を行っているものや、インターバル撮影機能の撮影間隔により極端にコマの粗い動画のような撮影も可能となる。
請求項４の撮影装置の発明は、上述の発明において、設定枚数をユーザーが自由に設定可能とする手段及び設定枚数に応じた画像サイズあるいは画像サイズに応じた設定枚数を決定する手段の少なくとも一方を有することを特徴とする。
この発明によれば、連続的な動作や、インターバル撮影機能の撮影間隔によりコマの粗い動画のような撮影も可能となる。
請求項５の撮影装置の発明は、上述の発明において、１／ｎサイズの場合（ｎは整数）ｎの２乗枚数で１画像としたことを特徴とする。
この発明によれば、サイズと設定枚数とが決定され得る。
請求項６の撮影装置の発明は、上述の発明において、画像を合成する場合の処理のパターンは、ユーザーが自由に設定可能とする手段とを有することを特徴とする。
この発明によれば、ユーザーにて画像の合成パターンを自由に設定することができる。
【０００６】
請求項７の画像処理方法は、レンズユニットにて被写体を撮影し、撮影した被写体の画像データをＲＡＭに格納し、このＲＡＭの画像データを処理し、記録し、再生する画像処理方法において、任意の設定時間が経過し撮影時間になったどうか判断し、撮影時間が経過した場合は１枚分の画像を取り込み、前記画像の取り込みを設定枚数だけ繰り返し、設定枚数だけ画像取り込みを完了した場合１枚分の画像ＹＵＶ変換処理及び１枚分の画像リサイズ処理を設定枚数分繰り返し、設定枚数だけ画像処理を終了した場合設定枚数分の画像を１枚の画像に合成し、合成が完了した場合その画像を圧縮し記録処理を行い、前記一連の処理を設定回数もしくはキャンセル操作による処理終了まで繰り返すことを特徴とする。
この発明によれば、インターバル撮影機能の１回の撮影で連続撮影を行って複数枚の画像を１枚の画像に合成したり、インターバル撮影機能の複数回の撮影で撮影された複数枚の画像を１枚の画像に合成することにより、動きの有る被写体で連続的な動作を行っているものや、インターバル撮影機能の撮影間隔を短くすることにより極端にコマの粗い動画のような撮影も可能となる。
請求項８の画像処理方法の発明は、上述の発明において、１枚分の画像を取り込みと、前記画像の取り込みを設定枚数だけ繰り返しとの間に、時間設定だけ取り込みを待つ設定時間待ち処理を行うことを特徴とする。
この発明によれば、時間設定されたインターバル撮影機能の複数回の撮影で撮影された複数枚の画像を１枚の画像に合成することにより、動きの有る被写体で連続的な動作を行っているものや、インターバル撮影機能の撮影間隔を短くすることにより極端にコマの粗い動画のような撮影も可能となる。
【０００７】
請求項９の画像処理方法の発明は、レンズユニットにて被写体を撮影し、撮影した被写体の画像データをＲＡＭに格納し、このＲＡＭの画像データを処理し、記録し、再生する画像処理方法において、任意の設定時間が経過し撮影時間になったどうか判断し、撮影時間が経過した場合は１枚分の画像を取り込み、設定枚数にならない場合は、再び設定時間が経過するまで待機状態とし、前記処理を設定枚数だけ画像の取り込みを繰り返し、設定枚数だけ画像取り込みを完了した場合１枚分の画像ＹＵＶ変換処理及び１枚分の画像リサイズ処理を設定枚数分繰り返し、設定枚数だけ画像処理を終了した場合設定枚数分の画像を１枚の画像に合成し、合成が完了した場合その画像を圧縮し記録処理を行い、前記一連の処理を設定回数もしくはキャンセル操作による処理終了まで繰り返すことを特徴とする。
この発明によれば、設定枚数にならない場合は、再び設定時間が経過するまで待機状態として、インターバル撮影機能の複数回の撮影で撮影された複数枚の画像を１枚の画像に合成することにより、動きの有る被写体で連続的な動作を行っているものや、インターバル撮影機能の撮影間隔により極端にコマの粗い動画のような撮影も可能となる。
請求項１０の画像処理方法の発明は、上述の発明において、設定枚数をユーザーが自由に設定可能とする工程及び設定枚数に応じた画像サイズあるいは画像サイズに応じた設定枚数を決定する工程の少なくとも一方を有することを特徴とする。
この発明によれば、連続的な動作や、インターバル撮影機能の撮影間隔によりコマの粗い動画のような撮影も可能となる。
請求項１１の画像処理方法の発明は、上述の発明において、１／ｎサイズの場合（ｎは整数）ｎの２乗枚数で１画像としたことを特徴とする。
この発明によれば、サイズと設定枚数とが決定され得る。
請求項１２の画像処理方法の発明は、上述の発明において、画像を合成する場合の処理のパターンは、ユーザーが自由に設定可能とする手段とを有することを特徴とする。
この発明によれば、ユーザーにて画像の合成パターンを自由に設定することができる。
【０００８】
【発明の実施の形態】
ここで、図１ないし図７を参照して本発明の実施の形態を説明する。図１は、本発明の実施の形態であって、デジタルカメラのハードウエアを示すブロック図である。
図１において、デジタルカメラは、ＳＹＳＴＥＭ　ＢＵＳ１を中心として、ＣＰＵ２、プログラムを格納するＦＲＯＭ３、プログラムやデータのワーク領域のＲＡＭ４、撮影された画像ファイル・システムファイル・データファイルなどを格納する内蔵メモリ５、ハードキーユニット８とこのハードキーユニット８のハードキーを検出するキー制御部７とこのキー制御部７とＣＰＵ２との間で情報交換を行うキー制御部Ｉ／Ｆ６、ＲＡＭ４に置かれている画像情報をビデオの信号に変換して出力するビデオ制御部９、このビデオ制御部９に接続されているテレビ１０、ＲＡＭ４に置かれている画像情報をＬＣＤ表示信号に変換して出力するＬＣＤ制御部１１、このＬＣＤ制御部１１に接続されているＬＣＤユニット１２、レンズ・このレンズを駆動する機構・ＣＣＤ等を搭載するレンズユニット１４から出力される画像信号をＲＧＢデータやＹｃｂＣｒデータなどのフレームデータに変換し必要な画像処理を行うカメラ制御部１３、カメラ制御部１３からの画像信号をＪＰＥＧなどの圧縮データに変換しまた、ＪＰＥＧなどの圧縮データを伸長してＹＵＶなどの画像データに変換する画像圧縮伸長制御部１５、ＳＤカード１７のデータの読み出し書込みを制御するカード制御部１６、ＰＣ１９とＵＳＢ接続通信を行うＵＳＢ制御部１８から構成されている。
このような構成において、通常の撮影にあっては、ハードキーユニット８の操作により撮影開始を認識すると、レンズユニット１４で画像を取込み、カメラ制御部１３にてレンズユニット１４から出力される画像信号をＲＧＢデータや、ＹｃｂＣｒデータなどのフレームデータに変換し必要な画像処理を行った後、画像データをＲＡＭ４に転送する。ＲＡＭ４に転送された画像データは画像圧縮伸長制御部１５でＪＰＥＧなどの画像データに圧縮され再びＲＡＭ４に転送される。ＲＡＭ４に格納されたＪＰＥＧなどの画像データは、必要なヘッダー処理を行った後、内蔵メモリ５もしくはカード制御部１６を介してＳＤカード１７に記録される。
【０００９】
撮影の確認を行うモニタは、ＬＣＤ制御部１１にて変換された表示信号によりＬＣＤユニット１４にて画像表示がなされる。また再生にあたっては、ハードキー８の操作によりＳＤカード１７或いは内蔵メモリ５内の画像データがＲＡＭ４に転送され、このＲＡＭ４の画像データがビデオ制御部９を介してテレビ１０にて再生され、またＲＡＭ４の画像データがＬＣＤ制御部１１を介してＬＣＤユニット１２にて再生される。
被写体に対して複数コマの連続撮影を行う場合、ハードキーユニット８での連続撮影開始操作を認識すると、レンズユニット１４より複数コマの画像の転送を開始する。レンズユニット１４より取り込んだ画像データは、図２に示すＲＡＭ４のメモリマップにて示すように取り込み領域上の個々の第１画像領域に順に格納される。この時点でＲＡＭ４に格納されている画像データは、レンズユニット１４内のＣＣＤの配列順のデータそのものである。規定の複数コマである規定枚数分の撮影が完了した時点で、これら取り込み済みの画像は１枚ずつ順にＹＵＶ変換され、その後必要に応じて目的画像サイズに画素数変換され、そのデータを最初に取り込んだ第１画像領域に上書きして格納する。この作業を連続撮影の枚数分繰り返した後、ＲＡＭ４の図２に示す第２画像領域に枚数分並べて配置しなおした後、画像圧縮伸長制御部１５で圧縮処理などを行い、再度ＲＡＭ４に格納された後ＳＤカード１７の記録媒体への記録を行うことにより、連写画像を１枚の画像として記録することが可能となる。
【００１０】
図３は、連続撮影にて取り込んだ画像をカメラ上で１枚の画像として合成した場合の、画像配列を示す。図３は、縦横１／４の大きさとして全体で１６枚連続撮影の場合を表している。この場合、縦横１／３の大きさとすれば９枚連続撮影が記録でき、縦横１／５の大きさとすれば２５枚連続撮影、引いては縦横１／ｎ（ｎは整数）の大きさとすればｎの２乗枚記録可能である。
図４は、処理フローチャートを示す。図４にあって、処理が開始されると、設定時間が経過し撮影時間になったか否かを判断する（ステップＳ１）。撮影時間が経過した場合は１枚分の画像を取り込む（ステップＳ２）。その後、設定枚数だけ画像の取り込みを繰り返す。設定枚数だけ画像取り込みを完了した場合（ステップＳ３）、１枚分の画像ＹＵＶ変換処理（ステップＳ４）、１枚分の画像リサイズ処理（ステップＳ５）を設定枚数分繰り返す。その後、設定枚数だけ画像処理を終了した場合（ステップＳ６）、設定枚数分の画像を１枚の画像に合成する（ステップＳ７）。合成が完了したら、その画像を圧縮し、記録処理を行う（ステップＳ８）。以上の処理を設定回数もしくは、ユーザーなどによるキャンセルによる処理終了まで繰り返す（ステップＳ９）。
これまでの説明では、設定枚数に当たる複数コマの連続撮影について述べたのであるが、ここでは更に連続撮影ではなくある設定時間を待って撮影を行うようにしたものでも良い。すなわち、図４に示す処理フローチャートにおいて、ステップＳ２での１枚分画像取り込み処理と、ステップＳ３での設定枚数撮影終了判定処理との間に、予め入力された時間設定に基づく設定時間の待ち処理を挿入することもできる。
【００１１】
図５は、更に他の例の処理フローチャートを示す。前述の設定時間による待ち処理より更に進んで撮影時間まで待機状態としたものである。
図５にて、処理が開始されると、設定時間が経過し撮影時間になったどうか判断する（ステップＳ１０）。撮影時間が経過した場合は１枚分の画像を取り込む（ステップＳ１１）。設定枚数にならない場合は、再び設定時間が経過するまで待機状態になるすなわちステップＳ１０へ戻る。その後、設定枚数だけ画像の取り込みを繰り返す。設定枚数だけ画像取り込みを完了した場合（ステップＳ１２）、１枚分の画像ＹＵＶ変換処理（ステップＳ１３）、１枚分の画像リサイズ処理（ステップＳ１４）を設定枚数分繰り返す。その後、設定枚数だけ画像処理を終了した場合（ステップＳ１５）、設定枚数分の画像を１枚の画像に合成する（ステップＳ１６）。合成が完了した後、その画像を圧縮し、記録処理を行う（ステップＳ１７）。以上の処理を設定回数もしくは、ユーザーなどによるキャンセルによる処理終了まで繰り返す（ステップＳ１８）。
図４、図５の処理フローチャートにおいては、ステップＳ３、Ｓ６、Ｓ１２、Ｓ１５における設定枚数は限定されず、ユーザーが自由に設定することができる。ここでは更に、設定枚数に応じた画像サイズあるいは画像サイズに応じた設定枚数を例えば図３に示すように決定しても良いケースを述べる。すなわち、図５の処理フローチャートに述べれば、処理が開始されると、設定時間が経過し撮影時間になったどうか判断する（ステップＳ１０）。撮影時間が経過した場合は１枚分の画像を取り込む（ステップＳ１１）。設定枚数は例えば、１／２サイズであれば４枚で１画像、１／３サイズであれば９枚で１画像、１／４サイズであれば図３のように１６枚で１画像のごとく予め設定可能である。設定枚数となっていない場合は、再び設定時間が経過するまで待機状態になる。その後、設定枚数だけ画像の取り込みを繰り返す。設定枚数だけ画像取り込みを完了した場合（ステップＳ１２）、１枚分の画像ＹＵＶ変換処理（ステップＳ１３）、１枚分の画像リサイズ処理（ステップＳ１４）を設定枚数分繰り返す。その後、設定枚数だけ画像処理を終了した場合（ステップＳ１５）、設定枚数分の画像を１枚の画像に合成する（ステップＳ１６）。合成が完了した後、その画像を圧縮し、記録処理を行う（ステップＳ１７）。以上の処理を設定回数もしくは、ユーザーなどによるキャンセルによる処理終了まで繰り返す（ステップＳ１８）。
図６、図７は、例えば連続撮影にて取り込んだ画像をカメラ上で１枚の画像として合成した場合の画像構成例を示す。図６では、上下に配列された画像構成例を示し、図７は左右に配列された画像構成例を示す。このような画像構成例の配列は、例えば図５の画像の合成にあって処理のパターンをユーザーが自由に設定可能とすることができる。
【００１２】
【発明の効果】
以上説明したように請求項１の発明によれば、インターバル撮影機能の１回の撮影で連続撮影を行って複数枚の画像を１枚の画像に合成したり、インターバル撮影機能の複数回の撮影で撮影された複数枚の画像を１枚の画像に合成することにより、動きの有る被写体で連続的な動作を行っているものや、インターバル撮影機能の撮影間隔を短くすることにより極端にコマの粗い動画のような撮影も可能となる。
請求項２の発明によれば、動きの有る被写体で連続的な動作を行っているものや、インターバル撮影機能の撮影間隔を短くすることにより極端にコマの粗い動画のような撮影も可能となる。
請求項３の発明によれば、設定枚数で無い場合は、再び設定時間が経過するまで待機状態として、インターバル撮影機能の複数回の撮影で撮影された複数枚の画像を１枚の画像に合成することにより、動きの有る被写体で連続的な動作を行っているものや、インターバル撮影機能の撮影間隔により極端にコマの粗い動画のような撮影も可能となる。
請求項４の発明によれば、設定枚数をユーザーが自由に設定可能とする手段及び設定枚数に応じた画像サイズあるいは画像サイズに応じた設定枚数を決定する手段の少なくとも一方を有することにより、連続的な動作や、インターバル撮影機能の撮影間隔によりコマの粗い動画のような撮影も可能となる。
請求項５の発明によれば、１／ｎサイズの場合（ｎは整数）ｎの２乗枚数で１画像としたことにより、サイズと設定枚数とが決定され得る。
請求項６の発明によれば、画像を合成する場合の処理のパターンは、ユーザーが自由に設定可能とする手段とを有することにより、ユーザーにて画像の合成パターンを自由に設定することができる。
本発明である画像処理方法についても、上記撮影装置の発明と同様の効果を奏する。
【図面の簡単な説明】
【図１】撮影装置の実施の形態の一例のブロック図である。
【図２】図１に示すＲＡＭのメモリマップを示す図である。
【図３】合成画像の一例を示す図である。
【図４】一例のフローチャートである。
【図５】他の例のフローチャートである。
【図６】合成画像の画像構成例を示す図である。
【図７】合成画像の画像構成例を示す図である。
【符号の説明】
２　ＣＰＵ、
３　ＦＲＯＭ、
４　ＲＡＭ、
５　内蔵メモリ、
８　ハードキーユニット、
９　ビデオ制御部、
１１　ＬＣＤ制御部、
１３　カメラ制御部、
１５　画像圧縮伸長制御部、
１６　カード制御部、
１８　ＵＳＢ制御部。
【図１】
2004080212.tif 000003
【図２】
2004080212.tif 000004
【図３】
2004080212.tif 000005
【図４】
2004080212.tif 000006
【図５】
2004080212.tif 000007
【図６】
2004080212.tif 000008
【図７】
2004080212.tif 000009